(57)【要約】  成分Ａ）及びＢ）を含むポリエチレンパイプであって、成分Ａ）がトリアジン残基を含有するヒンダードアミン光安定剤であり、成分Ｂ）が天然又は合成のハイドロタルサイトであり、かつ成分Ａ）と成分Ｂ）との質量比が１：１０〜１０：１である、ポリエチレンパイプ。【特許請求の範囲】
【請求項１】
成分Ａ）及びＢ）を含むポリエチレンパイプであって、成分Ａ）がトリアジン残基を含有するヒンダードアミン光安定剤であり、成分Ｂ）が天然又は合成のハイドロタルサイトであり、かつ成分Ａ）と成分Ｂ）との質量比が１：１０〜１０：１である、ポリエチレンパイプ。
【請求項２】
成分Ａ）が、式（Ａ−Ｉ）、（Ａ−ＩＩ）又は（Ａ−ＩＩＩ）
【化１】
2020525623.tif 000033
［式中、Ａ11は、Ｃ2〜Ｃ18アルキレン、Ｃ5〜Ｃ7シクロアルキレン又はＣ1〜Ｃ4アルキレンジ（Ｃ5〜Ｃ7シクロアルキレン）であり、
基Ａ12は、互いに独立して、水素、Ｃ1〜Ｃ12アルキル又はＣ5〜Ｃ12シクロアルキルであり、
Ａ13及びＡ14は、互いに独立して、水素、Ｃ1〜Ｃ12アルキル、Ｃ5〜Ｃ12シクロアルキル又は式（ａ−１）の基
【化２】
2020525623.tif 000034
であり、
もしくは基Ａ13及びＡ14は、Ａ13及びＡ14に結合する窒素原子と一緒になって、５〜１０員の複素環を形成し、かつ
ａ1は、１〜２０、好ましくは２〜２０の数であり、繰り返し単位は同一であるか又は異なる］；
【化３】
2020525623.tif 000035
［式中、Ａ21及びＡ25は、互いに独立して、水素、Ｃ1〜Ｃ12アルキル、Ｃ5〜Ｃ12シクロアルキル又は式（ａ−１）の基であり、
Ａ22、Ａ23及びＡ24は、互いに独立して、Ｃ2〜Ｃ10アルキレンであり、かつ
Ｘ1、Ｘ2、Ｘ3、Ｘ4、Ｘ5、Ｘ6、Ｘ7及びＸ8は、互いに独立して、式（ａ−２）の基
【化４】
2020525623.tif 000036
［式中、Ａ26は、水素、Ｃ1〜Ｃ12アルキル、Ｃ5〜Ｃ12シクロアルキル又は前記で定義した式（ａ−１）の基であり、かつＡ27は、Ａ12の意味の１つを有する］
である］；
【化５】
2020525623.tif 000037
［式中、Ｒ1及びＲ2は、互いに独立して、水素、Ｃ1〜Ｃ22アルキル、−Ｏ・、−ＯＨ、−ＣＨ2ＣＮ、Ｃ1〜Ｃ18アルコキシ、−ＯＨで置換されたＣ2〜Ｃ18アルコキシ、Ｃ5〜Ｃ12シクロアルコキシ、Ｃ3〜Ｃ6アルケニル、Ｃ3〜Ｃ6アルケニルオキシ、非置換であるかフェニル上で１個、２個もしくは３個のＣ1〜Ｃ4アルキルで置換されたＣ7〜Ｃ9フェニルアルキル、又はＣ1〜Ｃ8アシルであり、かつ
Ｒ3及びＲ4は、互いに独立して、Ｃ1〜Ｃ22アルキル又は式（ａ−３）の基
【化６】
2020525623.tif 000038
［式中、Ｒ0は、Ｒ1及びＲ2の意味の１つを有する］
である］の少なくとも１種の化合物である、請求項１に記載のポリエチレンパイプ。
【請求項３】
Ａ11が、Ｃ2〜Ｃ10アルキレンであり、
基Ａ12が、互いに独立して、水素、Ｃ1〜Ｃ4アルキル又はシクロヘキシルであり、
Ａ13及びＡ14が、互いに独立して、水素、Ｃ1〜Ｃ4アルキル、シクロヘキシル、又は式（ａ−１）の基
【化７】
2020525623.tif 000039
であり、
もしくは基Ａ13及びＡ14が、Ａ13及びＡ14に結合する窒素原子と一緒になって、モルホリノ基を形成し、かつ
ａ1が、１〜１０、好ましくは２〜１０の数であり、繰り返し単位は同一であるか又は異なり；
Ａ21及びＡ25が、互いに独立して、水素、Ｃ1〜Ｃ4アルキル又はシクロヘキシルであり、
Ａ22、Ａ23及びＡ24が、互いに独立して、Ｃ2〜Ｃ10アルキレンであり、かつ
Ｘ1、Ｘ2、Ｘ3、Ｘ4、Ｘ5、Ｘ6、Ｘ7及びＸ8が、互いに独立して、式（ａ−２）の基
【化８】
2020525623.tif 000040
［式中、Ａ26は、水素、Ｃ1〜Ｃ4アルキル、シクロヘキシル又は前記で定義した式（ａ−１）の基であり、かつＡ27は、Ａ12の意味の１つを有する］であり；
Ｒ1及びＲ2が、互いに独立して、水素、Ｃ1〜Ｃ4アルキル又はシクロヘキシルであり；かつ
Ｒ3及びＲ4が、互いに独立して、Ｃ1〜Ｃ4アルキル又は式（ａ−３）の基
【化９】
2020525623.tif 000041
［式中、Ｒ0は、Ｒ1及びＲ2の意味の１つを有する］である、請求項２に記載のポリエチレンパイプ。
【請求項４】
成分Ａ）が、式（Ａ−Ｉ−１）、（Ａ−Ｉ−２）、（Ａ−ＩＩ−１）又は（Ａ−ＩＩＩ−１）
【化１０】
2020525623.tif 000042
［式中、ａ1は２〜１０である］、
【化１１】
2020525623.tif 000043
［式中、ａ1は２〜１０である］、
【化１２】
2020525623.tif 000044
［式中、Ｘ1、Ｘ2、Ｘ3、Ｘ4、Ｘ5、Ｘ6、Ｘ7及びＸ8は、
【化１３】
2020525623.tif 000045
の基である］、
【化１４】
2020525623.tif 000046
の化合物である、請求項１に記載のポリエチレンパイプ。
【請求項５】
成分Ｂ）が、少なくとも１種のマグネシウムアルミニウムヒドロキシドカーボネート水和物又は亜鉛アルミニウムヒドロキシドカーボネート水和物である、請求項１から４までのいずれか１項に記載のポリエチレンパイプ。
【請求項６】
さらに、フェノール性酸化防止剤である成分Ｃ）を含む、請求項１から５までのいずれか１項に記載のポリエチレンパイプ。
【請求項７】
さらに、ホスフィット、ホスホナイト、ヒドロキシルアミン、トコフェロール及びトコフェロールアセテートからなる群から選択される少なくとも１種の化合物である成分Ｄ）を含む、請求項１から６までのいずれか１項に記載のポリエチレンパイプ。
【請求項８】
フェノール性酸化防止剤が、１，３，５−トリス（３，５−ジ−ｔｅｒｔ−ブチル−４−ヒドロキシベンジル）−２，４，６−トリメチルベンゼン、エチレンビス［３，３−ビス（３−ｔｅｒｔ−ブチル−４−ヒドロキシフェニル）ブチレート］又は１，３，５−トリス（３，５−ジ−ｔｅｒｔ−ブチル−４−ヒドロキシベンジル）−イソシアヌレートである、請求項６に記載のポリエチレンパイプ。
【請求項９】
成分Ｄ）が、ホスフィット、好ましくはトリス（２，４−ジ−ｔｅｒｔ−ブチルフェニル）ホスフィット、［３，３’，５，５’−テトラ−ｔｅｒｔ．ブチル−１，１’ビフェニル−２，２’−ジイル］−［３−（３−メチル−４−ヒドロキシ−５−ｔｅｒｔ．ブチル−フェニル）−プロピル］−ホスフィット、［２，２’−エチレン−ビス−（４，６−ジ−ｔｅｒｔ．ブチル−フェニル）−１，１’−ジイル］−［１，６−ジメチル−４−（５，７−ジ−ｔｅｒｔ．ブチル）−３Ｈ−１−ベンゾフラン−２−オン）−フェニル］−ホスフィット、［２，２’−エチレン−ビス−（４，６−ジ−ｔｅｒｔ．ブチル−フェニル）−１，１’−ジイル］−［１−メチル−６−ｔｅｒｔ．ブチル−４−（５，７−ジ−ｔｅｒｔ．ブチル）−３Ｈ−１−ベンゾフラン−２−オン）−フェニル］−ホスフィット又は６−［３−（３−ｔｅｒｔ−ブチル−４−ヒドロキシ−５−メチルフェニル）プロポキシ］−２，４，８，１０−テトラ−ｔｅｒｔ−ブチルジベンゾ［ｄ，ｆ］［１，３，２］ジオキサホスフェピンである、請求項７に記載のポリエチレンパイプ。
【請求項１０】
さらに、顔料、好ましくは青色顔料を含む、請求項１から９までのいずれか１項に記載のポリエチレンパイプ。
【請求項１１】
ポリエチレンが、高密度ポリエチレン（ＨＤ−ＰＥ）、中密度ポリエチレン（ＭＤ−ＰＥ）、低密度ポリエチレン（ＬＤ−ＰＥ）、直鎖低密度ポリエチレン（ＬＬＤ−ＰＥ）、メタロセンポリエチレン、架橋ポリエチレン（ＰＥ−Ｘ）、再生ポリエチレン、バイモーダルポリエチレン及びポリエチレン類の混合物から選択される、請求項１から１０までのいずれか１項に記載のポリエチレンパイプ。
【請求項１２】
成分（Ａ）、（Ｂ）、（Ｃ）及び（Ｄ）を含む請求項１、１０及び１１のいずれか１項に記載のポリエチレンパイプであって、成分（Ａ）が、
【化１５】
2020525623.tif 000047
［式中、ａ1は２〜１０である］であり、
成分（Ｂ）が天然又は合成のハイドロタルサイトであり、
成分（Ｃ）が１，３，５−トリス（３，５−ジ−ｔｅｒｔ−ブチル−４−ヒドロキシベンジル）−２，４，６−トリメチルベンゼンであり、かつ
成分（Ｄ）がトリス［２，４−ジ−ｔｅｒｔ−ブチルフェニル］ホスフィットである、前記ポリエチレンパイプ。
【請求項１３】
塩素処理水又は非塩素処理水と接触される、請求項１から１２までのいずれか１項に記載のポリエチレンパイプ。
【請求項１４】
ポリエチレンパイプを安定化するための、請求項１において定義した１：１０〜１０：１の質量比で成分Ａ）及びＢ）を含む混合物の使用。
【請求項１５】
請求項１において定義した１：１０〜１０：１の質量比で成分Ａ）及びＢ）をポリエチレンに導入することを含む、ポリエチレンパイプを安定化するための方法。
【発明の詳細な説明】
【技術分野】
【０００１】
説明
本発明は、成分Ａ）及びＢ）を含むポリエチレンパイプに関し、成分Ａ）はトリアジン残基を含有するヒンダードアミン光安定剤であり、成分Ｂ）は天然又は合成のハイドロタルサイトであり、かつ成分Ａ）と成分Ｂ）との質量比は、１：１０〜１０：１、好ましくは１：５〜５：１である。
【０００２】
より詳述すれば、本発明によるパイプは、好ましくは、成分Ａ）とＢ）とを１：１０〜１０：１の質量比で含むポリエチレン組成物からなる。
【０００３】
成分Ａ）は、特に、式（Ａ−Ｉ）、（Ａ−ＩＩ）又は（Ａ−ＩＩＩ）
【化１】
2020525623.tif 000002
［式中、Ａ11は、Ｃ2〜Ｃ18アルキレン、Ｃ5〜Ｃ7シクロアルキレン又はＣ1〜Ｃ4アルキレンジ（Ｃ5〜Ｃ7シクロアルキレン）であり、
基Ａ12は、互いに独立して、水素、Ｃ1〜Ｃ12アルキル又はＣ5〜Ｃ12シクロアルキルであり、
Ａ13及びＡ14は、互いに独立して、水素、Ｃ1〜Ｃ12アルキル、Ｃ5〜Ｃ12シクロアルキル又は式（ａ−１）の基
【化２】
2020525623.tif 000003
であり、
もしくは基Ａ13及びＡ14は、Ａ13及びＡ14に結合する窒素原子と一緒になって、５〜１０員の複素環を形成し、かつ
ａ1は、１〜２０、好ましくは２〜２０の数であり、繰り返し単位は同一であるか又は異なる］；
【化３】
2020525623.tif 000004
［式中、Ａ21及びＡ25は、互いに独立して、水素、Ｃ1〜Ｃ12アルキル、Ｃ5〜Ｃ12シクロアルキル又は式（ａ−１）の基であり、
Ａ22、Ａ23及びＡ24は、互いに独立して、Ｃ2〜Ｃ10アルキレンであり、かつ
Ｘ1、Ｘ2、Ｘ3、Ｘ4、Ｘ5、Ｘ6、Ｘ7及びＸ8は、互いに独立して、式（ａ−２）の基
【化４】
2020525623.tif 000005
［式中、Ａ26は、水素、Ｃ1〜Ｃ12アルキル、Ｃ5〜Ｃ12シクロアルキル又は前記で定義した式（ａ−１）の基であり、かつＡ27は、Ａ12の意味の１つを有する］
である］；
【化５】
2020525623.tif 000006
［式中、Ｒ1及びＲ2は、互いに独立して、水素、Ｃ1〜Ｃ22アルキル、−Ｏ・、−ＯＨ、−ＣＨ2ＣＮ、Ｃ1〜Ｃ18アルコキシ、−ＯＨで置換されたＣ2〜Ｃ18アルコキシ、Ｃ5〜Ｃ12シクロアルコキシ、Ｃ3〜Ｃ6アルケニル、Ｃ3〜Ｃ6アルケニルオキシ、非置換であるか又はフェニル上で１個、２個もしくは３個のＣ1〜Ｃ4アルキルで置換されたＣ7〜Ｃ9フェニルアルキル、又はＣ1〜Ｃ8アシルであり、かつ
Ｒ3及びＲ4は、互いに独立して、Ｃ1〜Ｃ22アルキル又は式（ａ−３）の基
【化６】
2020525623.tif 000007
［式中、Ｒ0は、Ｒ1及びＲ2の意味の１つを有する］
である］
の少なくとも１種の化合物である。
【０００４】
成分Ｂ）は、好ましくは、式（Ｂ−Ｉ）又は（Ｂ−ＩＩ）の混合ヒドロキシドである。
Ｍ2+1-aＭ3+a（ＯＨ）2（Ａb-）a/b×ｃＨ2Ｏ            （Ｂ−Ｉ）
Ｍ2+dＡｌ3+2（ＯＨ）2d+6-eb（Ａb-）e×ｆＨ2Ｏ        （Ｂ−ＩＩ）
Ｍ2+は、例えばＣａ2+、Ｍｇ2+、Ｓｒ2+、Ｂａ2+、Ｚｎ2+、Ｐｂ2+、Ｓｎ2+又はＮｉ2+である。
Ｍ3+は、例えばＡｌ3+、Ｂ3+又はＢｉ3+である。
ａは、例えば０．５までの数である。
Ａb-は、原子価ｂのアニオン、例えばＣｌ-、Ｂｒ-、ＮＯ3-、ＣＯ32-、ＳＯ42-又はＳｅＯ42-である。
ｂは、例えば１〜４の整数である。
ｃは、例えば０又は２までの数である。
ｄは、例えば６までの数である。
ｅは、例えば２までの数である。
ｆは、例えば０又は１５までの数である。
【０００５】
対象のハイドロタルサイトは、正に帯電した水酸化物層と中間層領域に位置する電荷均衡アニオン（charge balancing anion）とを含有する層状二重水酸化物である。
【０００６】
成分Ｂ）は、例えばＨｙｃｉｔｅ（登録商標）７１３、（登録商標）ＤＨＴ−４Ａ、（登録商標）ＤＨＴ−４Ｖ、（登録商標）ＤＨＴ−４Ａ−２、（登録商標）ＤＨＴ−４ＣもしくはＳｏｒｂａｃｉｄ（登録商標）９１１として市販されている少なくとも１種のマグネシウムアルミニウムヒドロキシドカーボネート水和物（magnesium aluminum hydroxide carbonate hydrate）、又は例えば（登録商標）ＺＨＴ−４ＶもしくはＳｏｒｂａｃｉｄ（登録商標）９４４として市販されている亜鉛アルミニウムヒドロキシドカーボネート水和物（zinc aluminum hydroxide carbonate hydrate）、又はそれらの混合物である。
【０００７】
特に対象のものは、例えばＨｙｃｉｔｅ（登録商標）７１３又はＤＨＴ−４Ａとして市販されているマグネシウムアルミニウムヒドロキシドカーボネート水和物である。
【０００８】
炭素原子２２個までを有するアルキルの例は、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラ−メチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル及びエイコシルである。
【０００９】
Ｃ1〜Ｃ18アルコキシは、例えばメトキシ、エトキシ、プロポキシ、イソプロポキシ、ブトキシ、イソブトキシ、ペントキシ、イソペントキシ、ヘキソキシ、ヘプトキシ、オクトキシ、デシルオキシ、ドデシルオキシ、テトラデシルオキシ、ヘキサデシルオキシ又はオクタデシルオキシである。
【００１０】
−ＯＨで置換されたＣ2〜Ｃ18アルコキシは、例えば２−ヒドロキシエトキシである。
【００１１】
Ｃ5〜Ｃ12シクロアルキルは、例えばシクロペンチル、シクロヘキシル、シクロヘプチル、シクロオクチル、シクロデシル又はシクロドデシルである。Ｃ5〜Ｃ8シクロアルキル、特にシクロヘキシルが好ましい。
【００１２】
Ｃ5〜Ｃ12シクロアルコキシは、例えばシクロペントキシ、シクロヘキソキシ、シクロヘプトキシ、シクロオクトキシ、シクロデシルオキシ又はシクロドデシルオキシである。Ｃ5〜Ｃ8シクロアルコキシ、特にシクロペントキシ及びシクロヘキソキシが好ましい。
【００１３】
Ｃ3〜Ｃ6アルケニルは、例えばアリル、２−メタリル、ブテニル、ペンテニル又はヘキセニルである。アリルが好ましい。１位の炭素原子が飽和していることが好ましい。
【００１４】
Ｃ3〜Ｃ6アルケニルオキシは、例えばプロペニルオキシである。
【００１５】
非置換であるか又はフェニル上で１個、２個又は３個のＣ1〜Ｃ4アルキルで置換されているＣ7〜Ｃ9フェニルアルキルは、例えばベンジル、２−フェニルエチル、メチルベンジル、ジメチルベンジル、トリメチルベンジル又はｔｅｒｔ−ブチルベンジルである。
【００１６】
Ｃ1〜Ｃ8アシルの例は、ホルミル、アセチル、プロピオニル、ブチリル、ペンタノイル、ヘキサノイル、ヘプタノイル、オクタノイル、アクリロイル、メタクリロイル及びベンゾイルである。Ｃ1〜Ｃ8アルカノイル、Ｃ3〜Ｃ8アルケノイル及びベンゾイルが好ましい。アセチル及びアクリロイルが特に好ましい。
【００１７】
炭素原子１８個までを有するアルキレンの例は、エチレン、プロピレン、トリメチレン、テトラメチレン、ペンタメチレン、２，２−ジメチルトリメチレン、ヘキサメチレン、トリメチルヘキサメチレン及びオクタメチレンである。Ｃ2〜Ｃ6アルキレン、特にヘキサメチレンが好ましい。
【００１８】
Ｃ5〜Ｃ7シクロアルキレンの例は、シクロヘキシレンである。
【００１９】
Ｃ1〜Ｃ4アルキレンジ（Ｃ5〜Ｃ7シクロアルキレン）の例は、メチレンジシクロヘキシレンである。
【００２０】
５〜７員の複素環の好ましい例は、モルホリン基である。
【００２１】
式（Ａ−Ｉ）の化合物における遊離原子価を飽和させる末端基の意味は、それらの調製のために使用される方法に依存する。末端基は、化合物の調整後に改質されてもよい。
【００２２】
式（Ａ−Ｉ）の化合物が、式
【化７】
2020525623.tif 000008
［式中、Ｘ0は、例えばハロゲン、特に塩素であり、かつＡ13及びＡ14は前記で定義したものである］の化合物と、式
【化８】
2020525623.tif 000009
［式中、Ａ11及びＡ12は前記で定義したものである］の化合物との反応によって製造される場合に、ジアミノ基に結合される末端基は、例えば水素又は
【化９】
2020525623.tif 000010
であり、かつトリアジン基に結合される末端基は、例えばＸ0又は
【化１０】
2020525623.tif 000011
である。
【００２３】
Ｘ0がハロゲンである場合に、例えば、反応が完了している場合に−ＯＨ又はアミノ基で置き換えることが有利である。挙げられうるアミノ基の例は、ピロリジン−１−イル、モルホリノ、−ＮＨ2、−Ｎ（Ｃ1〜Ｃ8）アルキル）2及び−ＮＲ0（Ｃ1〜Ｃ8アルキル）であり、ここでＲ0は水素又は式（Ｉａ）の基である。
【００２４】
式（Ｉ）の好ましい化合物の１つは、
【化１１】
2020525623.tif 000012
［式中、Ｅ1は
【化１２】
2020525623.tif 000013
であり、Ｅ2は、
【化１３】
2020525623.tif 000014
であり、かつａ1は、１〜１０、好ましくは２〜１０の数である］
である。この化合物の調製は、米国特許番号第６，０４６，３０４号（US-A-6,046,304）の実施例１０において記載されている。
【００２５】
好ましい実施形態に従って、
Ａ11は、Ｃ2〜Ｃ10アルキレンであり、
基Ａ12は、互いに独立して、水素、Ｃ1〜Ｃ4アルキル又はシクロヘキシルであり、
Ａ13及びＡ14は、互いに独立して、水素、Ｃ1〜Ｃ4アルキル、シクロヘキシル、又は式（ａ−１）の基
【化１４】
2020525623.tif 000015
であり、
又は基Ａ13及びＡ14は、Ａ13及びＡ14に結合する窒素原子と一緒になって、モルホリノ基を形成し、かつ
ａ1は、１〜１０、好ましくは２〜１０の数であり、繰り返し単位は同一であるか又は異なり；
Ａ21及びＡ25は、互いに独立して、水素、Ｃ1〜Ｃ4アルキル又はシクロヘキシルであり、
Ａ22、Ａ23及びＡ24は、互いに独立して、Ｃ2〜Ｃ10アルキレンであり、かつ
Ｘ1、Ｘ2、Ｘ3、Ｘ4、Ｘ5、Ｘ6、Ｘ7及びＸ8は、互いに独立して、式（ａ−２）の基
【化１５】
2020525623.tif 000016
［式中、Ａ26は、水素、Ｃ1〜Ｃ4アルキル、シクロヘキシル又は前記で定義した式（ａ−１）の基であり、かつＡ27は、Ａ12の意味の１つを有する］であり；
Ｒ1及びＲ2は、互いに独立して、水素、Ｃ1〜Ｃ4アルキル又はシクロヘキシルであり；かつ
Ｒ3及びＲ4は、互いに独立して、Ｃ1〜Ｃ4アルキル又は式（ａ−３）の基
【化１６】
2020525623.tif 000017
［式中、Ｒ0は、Ｒ1及びＲ2の意味の１つを有する］である。
【００２６】
さらに好ましい実施形態に従って、化合物Ａ）は、式（Ａ−Ｉ−１）、（Ａ−Ｉ−２）、（Ａ−ＩＩ−１）又は（Ａ−ＩＩＩ−１）
【化１７】
2020525623.tif 000018
［式中、ａ1は２〜１０である］、
【化１８】
2020525623.tif 000019
［式中、ａ1は２〜１０である］、
【化１９】
2020525623.tif 000020
［Ｘ1、Ｘ2、Ｘ3、Ｘ4、Ｘ5、Ｘ6、Ｘ7及びＸ8は、
【化２０】
2020525623.tif 000021
の基である］、
【化２１】
2020525623.tif 000022
の化合物である。
【００２７】
ポリエチレンパイプは、さらに、フェノール性酸化防止剤、特に１，３，５−トリス（３，５−ジ−ｔｅｒｔ−ブチル−４−ヒドロキシベンジル）−２，４，６−トリメチルベンゼン（Ｉｒｇａｎｏｘ（登録商標）１３３０）、エチレンビス［３，３−ビス（３−ｔｅｒｔ−ブチル−４−ヒドロキシフェニル）ブチレート］（Ｈｏｓｔａｎｏｘ（登録商標）０３）又は１，３，５−トリス（３，５−ジ−ｔｅｒｔ−ブチル−４−ヒドロキシベンジル）−イソシアヌレート（Ｉｒｇａｎｏｘ（登録商標）３１１４）である成分Ｃ）を含んでよい。
【００２８】
成分Ａ）と成分Ｃ）との質量比は、好ましくは１：１０〜１０：１、特に１：５〜５：１である。
【００２９】
ポリエチレンパイプは、さらに、ホスフィット、ホスホナイト、ヒドロキシルアミン、トコフェロール及びトコフェロールアセテートからなる群から選択される少なくとも１種の化合物である成分Ｄ）を含んでよい。ホスフィット、例えばトリス（２，４−ジ−ｔｅｒｔ−ブチルフェニル）ホスフィット、［３，３’，５，５’−テトラ−ｔｅｒｔ．ブチル−１，１’ビフェニル−２，２’−ジイル］−［３−（３−メチル−４−ヒドロキシ−５−ｔｅｒｔ．ブチル−フェニル）−プロピル］−ホスフィット、［２，２’−エチレン−ビス−（４，６−ジ−ｔｅｒｔ．ブチル−フェニル）−１，１’−ジイル］−［１，６−ジメチル−４−（５，７−ジ−ｔｅｒｔ．ブチル）−３Ｈ−１−ベンゾフラン−２−オン）−フェニル］−ホスフィット、［２，２’−エチレン−ビス−（４，６−ジ−ｔｅｒｔ．ブチル−フェニル）−１，１’−ジイル］−［１−メチル−６−ｔｅｒｔ．ブチル−４−（５，７−ジ−ｔｅｒｔ．ブチル）−３Ｈ−１−ベンゾフラン−２−オン）−フェニル］−ホスフィット又は６−［３−（３−ｔｅｒｔ−ブチル−４−ヒドロキシ−５−メチルフェニル）プロポキシ］−２，４，８，１０−テトラ−ｔｅｒｔ−ブチルジベンゾ［ｄ，ｆ］［１，３，２］ジオキサホスフェピンが特に好ましい。
【００３０】
成分Ａ）と成分Ｄ）との質量比は、好ましくは１：１０〜１０：１、特に１：５〜５：１である。
【００３１】
成分Ａ）、Ｂ）、Ｃ）及びＤ）を含むポリエチレンパイプが好ましい。成分Ａ）、Ｂ）、Ｃ）及びＤ）の化合物は公知であり、かつ本質的に市販されている。
【００３２】
成分Ａ）は、好ましくは、ポリエチレンの質量に対して、０．０１質量％〜２質量％の量でポリエチレン中に存在する。
【００３３】
成分Ｂ）は、好ましくは、ポリエチレンの質量に対して、０．０１質量％〜５質量％の量でポリエチレン中に存在する。
【００３４】
成分Ｃ）は、好ましくは、ポリエチレンの質量に対して、０．１質量％〜５質量％の量でポリエチレン中に存在する。
【００３５】
成分Ｄ）は、好ましくは、ポリエチレンの質量に対して、０．１質量％〜５質量％の量でポリエチレン中に存在する。
【００３６】
好ましい実施形態に従って、ポリエチレンパイプは、さらに顔料、好ましくは青色顔料を含んでよい。
【００３７】
パイプのポリエチレンは、好ましくはＨＤ−ＰＥ、ＭＤ−ＰＥ、ＬＤ−ＰＥ、ＬＬＤ−ＰＥ、メタロセンＰＥ、ＰＥ−Ｘ、ＰＥの混合物、再生ＰＥ、バイモーダルＰＥ、ＰＥ−ＲＴ、ＰＥ３２、ＰＥ４０、ＰＥ６３、ＰＥ８０、ＰＥ１００、ＰＥ１１２、ＰＥ１２５、ＰＥ１００ＲＣ、ＰＥ１００ＲＴ及びＰＥ１００ＲＤから、特に高密度ポリエチレン（ＨＤ−ＰＥ）、中密度ポリエチレン（ＭＤ−ＰＥ）、低密度ポリエチレン（ＬＤ−ＰＥ）、直鎖低密度ポリエチレン（ＬＬＤ−ＰＥ）、メタロセンポリエチレン、架橋ポリエチレン（ＰＥ−Ｘ）、再生ポリエチレン、バイモーダルポリエチレン及びポリエチレン類の混合物から選択される。
【００３８】
特に好ましいポリエチレンパイプは、成分（Ａ）、（Ｂ）、（Ｃ）及び（Ｄ）を含み、その際、成分（Ａ）は、
【化２２】
2020525623.tif 000023
［式中、ａ1は２〜１０である］であり、
成分（Ｂ）は天然又は合成のハイドロタルサイトであり、
成分（Ｃ）は１，３，５−トリス（３，５−ジ−ｔｅｒｔ−ブチル−４−ヒドロキシベンジル）−２，４，６−トリメチルベンゼンであり、かつ
成分（Ｄ）はトリス［２，４−ジ−ｔｅｒｔ−ブチルフェニル］ホスフィットである。
【００３９】
本発明によるパイプのポリエチレンは、さらに１種以上の従来の添加剤を含んでよく、該添加剤は例えば以下である。
【００４０】
１．  酸化防止剤
１．１．  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖において直鎖又は分枝鎖であるノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルペンタデシ−１’−イル）フェノール、２，４−ジメチル−６−（１’−メチルトリデシ−１’−イル）−フェノール及びそれらの混合物。
【００４１】
１．２．  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００４２】
１．３．  ヒドロキノン及びアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００４３】
１．４．  トコフェロール、例えばα−トコフェロール、β−トコフェロール、γ−トコフェロール、δ−トコフェロール及びそれらの混合物（ビタミンＥ）。
【００４４】
１．５．  ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００４５】
１．６．  アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチル−シクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００４６】
１．７．  Ｏ−、Ｎ−及びＳ−ベンジル化合物、例えば３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００４７】
１．８．  ヒドロキシベンジル化マロネート、例えばジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）−マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００４８】
１．９．  芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００４９】
１．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシ−フェニルプロピオニル）−ヘキサヒドロ−１，３，５−トリアジン、１，３，５−トリス（３，５−ジシクロヘキシル−４−ヒドロキシベンジル）イソシアヌレート。
【００５０】
１．１１．  ベンジルホスホネート、例えばジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００５１】
１．１２．  アシルアミノフェノール、例えば４−ヒドロキシラウラニリド、４−ヒドロキシステアラニリド、オクチルＮ−（３，５−ジ−ｔｅｒｔ−ブチル−４−ヒドロキシフェニル）カルバメート。
【００５２】
１．１３．  β−（３，５−ジ−ｔｅｒｔ−ブチル−４−ヒドロキシフェニル）プロピオン酸と、一価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５３】
１．１４．  β−（５−ｔｅｒｔ−ブチル−４−ヒドロキシ−３−メチルフェニル）プロピオン酸と、一価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００５４】
１．１５．  β−（３，５−ジシクロヘキシル−４−ヒドロキシフェニル）プロピオン酸と、一価アルコール又は多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
【００５５】
１．１６．  ３，５−ジ−ｔｅｒｔ−ブチル−４−ヒドロキシフェニル酢酸と、一価アルコール又は多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
【００５６】
１．１７．  β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ、Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、Ｕｎｉｒｏｙａｌ社製）。
【００５７】
１．１８．  アミン系酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化及びジアルキル化ｔｅｒｔ−ブチル／ｔｅｒｔ−オクチルジフェニルアミンの混合物、モノアルキル化及びジアルキル化ノニルジフェニルアミンの混合物、モノアルキル化及びジアルキル化ドデシルジフェニルアミンの混合物、モノアルキル化及びジアルキル化イソプロピル／イソヘキシルジフェニルアミンの混合物、モノアルキル化及びジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔｅｒｔ−ブチル／ｔｅｒｔ−オクチルフェノチアジンの混合物、モノアルキル化及びジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン。
【００５８】
２．  ＵＶ吸収剤及び光安定剤
２．１．  ２−（２’−ヒドロキシフェニル）ベンゾトリアゾール、例えば２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換産物；
【化２３】
2020525623.tif 000024
［式中Ｒ＝３’−ｔｅｒｔ−ブチル−４’−ヒドロキシ−５’−２Ｈ−ベンゾトリアゾール−２−イルフェニルである］、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチル−ブチル）−５’−（α，α−ジメチルベンジル）−フェニル］ベンゾトリアゾール。
【００５９】
２．２．  ２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００６０】
２．３．  置換及び非置換の安息香酸のエステル、例えば４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００６１】
２．４．  アクリレート、例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【００６２】
２．５．  立体障害アミン、例えば１，６−ヘキサンジアミンＮ，Ｎ’−ビス（１−プロピルオキシ−２，２，６，６−テトラメチル−４−ピペリジニル）−Ｎ，Ｎ’−ビス−２−［４，５−ビス−（Ｎ−ｎ−ブチル−Ｎ‘−１−プロピルオキシ−２，２，６，６−テトラメチル−４−ピペリジニル）−１，３，５−トリアジン］、１，６−ヘキサンジアミンＮ，Ｎ’−ビス（２，２，６，６−テトラメチル−４−ピペリジニル）−Ｎ，Ｎ’−ビス−２−［４，５−ビス−（Ｎ−ｎ−ブチル−Ｎ‘−２，２，６，６−テトラメチル−４−ピペリジニル）−１，３，５−トリアジン］、カルボン酸ビス（１−ウンデシルオキシ−２，２，６，６−テトラメチル−４−ピペリジル）エステル、ビス（２，２，６，６−テトラメチル−４−ピペリジル）セバセート、ビス（２，２，６，６−テトラメチル−４−ピペリジル）スクシネート、ビス（１，２，２，６，６−ペンタメチル−４−ピペリジル）セバセート、ビス（１−オクチルオキシ−２，２，６，６−テトラメチル−４−ピペリジル）−セバセート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバセート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−���，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジンとの、及び４−ブチルアミノ−２，２，６，６−テトラメチルピペリジンとの縮合物（ＣＡＳ登録番号［１３６５０４−９６−６］）、１，６−ヘキサンジアミンと２，４，６−トリクロロ−１，３，５−トリアジンとの、及びＮ，Ｎ−ジブチルアミンと４−ブチルアミノ−２，２，６，６−テトラメチルピペリジンとの縮合物（ＣＡＳ登録番号［１９２２６８−６４−７］）、Ｎ−（２，２，６，６−テトラメチル−４−ピペリジル）−ｎ−ドデシルスクシンイミド、Ｎ−（１，２，２，６、６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号１０６９１７−３１−１）、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−��クロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン、
【化２４】
2020525623.tif 000025
【００６３】
２．６  ベンゾキサジノン誘導体、例えば、２，２’−（１，４−フェニレン）ビス［４Ｈ−３，１−ベンゾキサジン−４−オン］（ＣＡＳ番号０１８６００−５９−４）。
【００６４】
２．７．  オキサミド、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド及びそれと２−エトキシ−２’−エチル−５，４’−ジ−ｔｅｒｔ−ブトキサニリドとの混合物、ｏ−及びｐ−メトキシ−二置換オキサニリドの混合物、並びにｏ−及びｐ−エトキシ−二置換オキサニリドの混合物。
【００６５】
２．８．  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシル−オキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］−フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン、２−（４，６−ビス−ビフェニル−４−イル−１，３，５−トリアジン−２−イル）−５−（２−エチル−（ｎ）−ヘキシルオキシ）フェノール。
【００６６】
３．  金属不活性化剤、例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサルイルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサルイルジヒドラジド、Ｎ，Ｎ’−ビス（サリチロイル）チオプロピオニルジヒドラジド。
【００６７】
３ａ．  ホルムアミジン、例えばエトキシカルボニルフェニル）−Ｎ’−エチル−Ｎ’−フェニルホルムアミジン。
【００６８】
４．  ホスフィット及びホスホナイト、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホナイト、［３，３’，５，５’−テトラ−ｔｅｒｔ．ブチル−１，１’ビフェニル−２，２’−ジイル］−［３−（３−メチル−４−ヒドロキシ−５−ｔｅｒｔ．ブチル−フェニル）−プロピル］−ホスフィット、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、トリス−［４−ｔｅｒｔ．ブチル−２−（５−ｔｅｒｔ．ブチル−３Ｈ−１−ベンゾフラン−２−オン）−フェニル］−ホスフィット、トリス−［４−（１，１’３，３’−テトラメチル−ブタン）−２−（５−（１，１’３，３’−テトラメチル−ブタン−３Ｈ−１−ベンゾフラン−２−オン）−フェニル］−ホスフィット、トリス−［２，６−ジメチル−（５，７−ジ−ｔｅｒｔ．ブチル）−３Ｈ−１−ベンゾフラン−２−オン）−フェニル］−ホスフィット、ビス−［２，６−ジメチル−（５，７−ジ−ｔｅｒｔ．ブチル）−３Ｈ−１−ベンゾフラン−２−オン）−フェニル］−フェニル−ホスフィット、ビス−［２，６−ジメチル−（５，７−ジ−ｔｅｒｔ．ブチル）−３Ｈ−１−ベンゾフラン−２−オン）−フェニル］−［２，４−ジ−ｔｅｒｔ．ブチル−フェニル］−ホスフィット、［３，３’，５，５’−テトラ−ｔｅｒｔ．ブチル−１，１’ビフェニル−２，２’−ジイル］−［４−ｔｅｒｔ．ブチル−（５−ｔｅｒｔ．ブチル）−３Ｈ−１−ベンゾフラン−２−オン）−フェニル］−ホスフィット、［３，３’，５，５’−テトラ−ｔｅｒｔ．ブチル−１，１’ビフェニル−２，２’−ジイル］−［２，６−ジメチル−（５，７−ジ−ｔｅｒｔ．ブチル）−３Ｈ−１−ベンゾフラン−２−オン）−フェニル］−ホスフィット、［２，２’−メチレン−ビス−（４，６−ジ−ｔｅｒｔ．ブチル−フェニル）−１，１’−ジイル］−［１，６−ジメチル−４−（５，７−ジ−ｔｅｒｔ．ブチル）−３Ｈ−���−ベンゾフラン−２−オン）−フェニル］−ホスフィット、［２，２’−エチレン−ビス−（４，６−ジ−ｔｅｒｔ．ブチル−フェニル）−１，１’−ジイル］−［１，６−ジメチル−４−（５，７−ジ−ｔｅｒｔ．ブチル）−３Ｈ−１−ベンゾフラン−２−オン）−フェニル］−ホスフィット、［２，２’−エチレン−ビス−（４，６−ジ−ｔｅｒｔ．ブチル−フェニル）−１，１’−ジイル］−［１−メチル−６−ｔｅｒｔ．ブチル−４−（５，７−ジ−ｔｅｒｔ．ブチル）−３Ｈ−１−ベンゾフラン−２−オン）−フェニル］−ホスフィット、ビス−（２，６−ジメチル−（５，７−ジ−ｔｅｒｔ．ブチル）−３Ｈ−１−ベンゾフラン−２−オン）−フェノール）ペンタエリトリトールジホスフィット、ビス−（１−メチル−６−ｔｅｒｔ．ブチル−（５，７−ジ−ｔｅｒｔ．ブチル）−３Ｈ−１−ベンゾフラン−２−オン）−フェノール）ペンタエリトリトールジホスフィット、ビス−（４−ｔｅｒｔ．ブチル−（５−ｔｅｒｔ．ブチル）−３Ｈ−１−ベンゾフラン−２−オン）−フェノール）ペンタエリトリトールジホスフィット、ビス−（４−（１，１’３，３’−テトラメチル−ブタン）−（５−（１，１’３，３’−テトラメチル−ブタン））−３Ｈ−１−ベンゾフラン−２−オン）−フェノール）ペンタエリトリトールジホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２’’−ニトリロ［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
【００６９】
次のホスフィットが特に好ましい：
トリス（２，４−ジ−ｔｅｒｔ−ブチルフェニル）ホスフィット（Ｉｒｇａｆｏｓ（登録商標）１６８、Ｃｉｂａ Ｓｐｅｃｉａｌｔｙ Ｃｈｅｍｉｃａｌｓ Ｉｎｃ．製）、トリス（ノニルフェニル）ホスフィット、亜リン酸混合２，４−ビス（１，１−ジメチルプロピル）フェニル及び４−（１，１−ジメチルプロピル）フェニルトリエステル（ＣＡＳ登録番号９３９４０２−０２−５）、アルファ−ヒドロ−オメガ−ヒドロキシポリ［オキシ（メチル−１，２−エタンジイル）Ｃ１０−１６アルキルエステル（ＣＡＳ登録番号１２２７９３７−４６−３）との亜リン酸トリフェニルエステルポリマー
【化２５】
2020525623.tif 000026
【化２６】
2020525623.tif 000027
［２，２’−エチレン−ビス−（４，６−ジ−ｔｅｒｔ．ブチル−フェニル）−１，１’−ジイル］−［１，６−ジメチル−４−（５，７−ジ−ｔｅｒｔ．ブチル）−３Ｈ−１−ベンゾフラン−２−オン）−フェニル］−ホスフィット、［２，２’−エチレン−ビス−（４，６−ジ−ｔｅｒｔ．ブチル−フェニル）−１，１’−ジイル］−［１−メチル−６−ｔｅｒｔ．ブチル−４−（５，７−ジ−ｔｅｒｔ．ブチル）−３Ｈ−１−ベンゾフラン−２−オン）−フェニル］−ホスフィット、［３，３’，５，５’−テトラ−ｔｅｒｔ．ブチル−１，１’ビフェニル−２，２’−ジイル］−［３−（３−メチル−４−ヒドロキシ−５−ｔｅｒｔ．ブチル−フェニル）−プロピル］−ホスフィット。
【００７０】
５．  ヒドロキシアミン、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンに由来するＮ，Ｎ−ジアルキルヒドロキシルアミン。
【００７１】
６．  アミンオキシド、例えばＮ，Ｎ−ジベンジルヒドロキシルアミンオキシド、Ｎ，Ｎ−ジエチルヒドロキシルアミンオキシド、Ｎ，Ｎ−ジオクチルヒドロキシルアミンオキシド、Ｎ，Ｎ−ジラウリルヒドロキシルアミンオキシド、Ｎ，Ｎ−ジテトラデシルヒドロキシルアミンオキシド、Ｎ，Ｎ−ジヘキサデシルヒドロキシルアミンオキシド、Ｎ，Ｎ−ジオクタデシルヒドロキシルアミンオキシド、Ｎ−ヘキサデシル−Ｎ−オクタデシルヒドロキシルアミンオキシド、Ｎ−ヘプタデシル−Ｎ−オクタデシルヒドロキシルアミンオキシド、水素化獣脂アミンに由来するＮ，Ｎ−ジアルキルヒドロキシルアミンオキシド。
【００７２】
７．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンに由来するＮ，Ｎ−ジアルキルヒドロキシルアミンに由来するニトロン。
【００７３】
８．  チオ相乗剤、例えばジラウリルチオジプロピオネート、ジミストリルチオジプロピオネート、ジステアリルチオジプロピオネート、ペンタエリトリトールテトラキス［３−（ドデシルチオ）プロピオネート］又はジステアリルジスルフィド。
【００７４】
９．  ペルオキシド捕捉剤、例えばβ−チオジプロピオン酸のエステル、例えばラウリル、ステアリル、ミリスチル又はトリデシルのエステル、メルカプトベンゾイミダゾール、又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００７５】
１０．  塩基性補助安定化剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート、ゼオライト、ハイドロタルサイト、ハイドロカルマイト。
【００７６】
１１．  成核剤、例えば無機物質、例えば滑石、金属酸化物、例えば二酸化チタン又は酸化マグネシウム、好ましくはアルカリ土類金属のリン酸塩、炭酸塩又は硫酸塩；有機化合物、例えばモノカルボン酸又はポリカルボン酸及びそれらの塩、例えば４−ｔｅｒｔ−ブチル安息香酸、アジピン酸、ジフェニル酢酸、コハク酸ナトリウム又は安息香酸ナトリウム；ポリマー化合物、例えばイオン性コポリマー（イオノマー）。１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールが特に好ましい。ベータ成核剤も好ましい。
【００７７】
１２．  充填剤及び補強剤、例えば炭酸カルシウム、シリケート、ガラス繊維、炭素繊維、ガラスビーズ、アスベスト、タルク（好ましくは０．０１〜２０μｍの粒径を有する）、カオリン、雲母、硫酸バリウム、金属酸化物及び金属水酸化物、カーボンブラック、グラファイト、木粉及び他の天然物の粉又は繊維、合成繊維。
【００７８】
１３．  他の添加剤、例えば可塑剤、潤滑剤、乳化剤、顔料、レオロジー添加剤、触媒、流量調節剤、蛍光増白剤、防炎加工剤、帯電防止剤及び発泡剤。
【００７９】
１４．  ベンゾフラノン及びインドリノン、例えば米国特許番号第４，３２５，８６３号（U.S. 4,325,863）；米国特許番号第４，３３８，２４４号（U.S. 4,338,244）；米国特許番号第５，１７５，３１２号（U.S. 5,175,312）；米国特許番号第５，２１６，０５２号（U.S. 5,216,052）；米国特許番号第５，２５２，６４３号（U.S. 5,252,643）；独国特許公開番号第４３１６６１１号（DE-A-4316611）；独国特許公開番号第４３１６６２２号（DE-A-4316622）；独国特許公開番号第４３１６８７６号（DE-A-4316876）；欧州特許公開番号第０５８９８３９号（EP-A-0589839）；欧州特許公開番号第０５９１１０２号（EP-A-0591102）；欧州特許公開番号第１２９１３８４号（EP-A-1291384）において開示されているもの、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【００８０】
従来の添加剤は、ポリエチレンの質量に対して例えば０．００１〜１０％の量で本発明によるパイプのポリエチレン中で存在してよい。
【００８１】
本発明のさらなる実施形態は、前記で定義したポリエチレンパイプであって、塩素処理水（慣用的な塩素処理水消毒薬、例えば塩素（次亜塩素酸塩）、二酸化塩素及びクロラミン）又は非塩素処理水と接触させたポリエチレンパイプである。
【００８２】
本発明の他の実施形態は、ポリエチレンパイプを安定化するために１：１０〜１０：１の質量比で成分Ａ）及びＢ）を含む混合物の使用である。
【００８３】
本発明のさらに他の実施形態は、１：１０〜１０：１の質量比でポリエチレン成分Ａ）及びＢ）中に導入されることを含むポリエチレンパイプを安定化するための方法である。
【００８４】
本発明の実施形態は、一般的な目的の水又は廃水のための、家庭用途、地方自治体用途又は工業用途の、飲用水又は非飲用水のために使用される無加圧から高圧までのパイプの用途の塩素処理水パイプ又は非塩素処理水パイプを含む。
【００８５】
以下の実施例は、より詳細に本発明を説明する。全てのパーセンテージ及び部は、他に記載がない限り質量による。
【００８６】
以下の実施例で使用した添加剤：
Ｉｒｇａｎｏｘ（登録商標）１３３０：
（ＣＡＳ番号：１７０９−７０−２）
１，３，５−トリス（３，５−ジ−ｔｅｒｔ−ブチル−４−ヒドロキシベンジル）−２，４，６−トリメチルベンゼン
Ｉｒｇａｆｏｓ（登録商標）１６８：
（ＣＡＳ番号：３１５７０−０４−４）
トリス［２，４−ジ−ｔｅｒｔ−ブチルフェニル］ホスフィット
Ｓｕｍｉｌｉｚｅｒ（登録商標）ＧＰ：
（ＣＡＳ番号：２０３２５５−８１−６）
６−［３−（３−ｔｅｒｔ−ブチル−４−ヒドロキシ−５−メチルフェニル）プロポキシ］−２，４，８，１０−テトラ−ｔｅｒｔ−ブチルジベンゾ［ｄ，ｆ］［１，３，２］ジオキサホスフェピン
化合物Ｄ−１：
国際公開番号第２０１５／１２１４４５号（WO-A-2015/121445）の実施例Ｓ−８において開示される化合物（１０８）
［２，２’−エチレン−ビス−（４，６−ジ−ｔｅｒｔ．ブチル−フェニル）−１，１’−ジイル］−［１，６−ジメチル−４（５，７−ジ−ｔｅｒｔ．ブチル）−３Ｈ−１−ベンゾフラン−２−オン）−フェニル］−ホスフィット
Ｃｈｉｍａｓｓｏｒｂ（登録商標）２０２０：
（ＣＡＳ番号：１９２２６８−６４−７）
【化２７】
2020525623.tif 000028
［式中、Ｅ1は、
【化２８】
2020525623.tif 000029
であり、Ｅ2は、
【化２９】
2020525623.tif 000030
であり、かつａ1は、２〜１０の数である］
Ｈｙｃｉｔｅ（登録商標）７１３：
（ＣＡＳ番号：０１２３０４−６５−３又は１１０９７−５９−９）
ハイドロタルサイト（マグネシウムアルミニウムヒドロキシドカーボネート水和物）。
【００８７】
実施例：
試験体の製造：安定化していない高密度ポリエチレン（ＨＤ−ＰＥ；Ｈｏｓｔａｌｅｎ（登録商標）ＣＲＰ−１００；ＬｙｏｎｄｅｌｌＢａｓｅｌｌのＰＥ１００で自然分類した；溶融流量：１９０℃／５．０Ｋｇ：０．２３ｇ／１０分（ＩＳＯ１１３３）；密度：０．９５ｇ／ｃｍ3（ＩＳＯ１１８３））と表１において挙げた添加剤との混合物を、Ｍｉｘａｃｏ Ｌａｂ ＣＭ１２高速ミキサー装置で混合する。
【００８８】
そして、得られた全配合物を、２４０℃でＣｏｌｌｉｎ ２５Ｘ４２Ｄ押出機で化合し、そして２３０℃でＥｎｇｅｌ ＨＬ６５射出成形機で射出成形する。
【００８９】
射出成形したプラーク４０ｍｍ×６０ｍｍ×２ｍｍを、次のパラメータ：４０℃、ｐＨ７、２ｍｇ／ＬのＮａＣｌＯ及び５０Ｌ／時間で塩素処理水に曝した。測定したパラメータは、０ヶ月、３ヶ月及び５ヶ月曝した後の２００℃でＯ2下でのＤＳＣ Ｑ２０００ ｖｏｎ ＴＡ Ｉｎｓｔｒｕｍｅｎｔ（Ｗａｔｅｒｓ）を使用したＯＩＴ値である。減損結果を表２において示す。
【００９０】
【表１】
2020525623.tif 000031
【００９１】
【表２】
2020525623.tif 000032
【００９２】
高いＯＩＴ値が望ましい。
【国際調査報告】
2020525623.tif 000048
2020525623.tif 000049